(57)【要約】  アンビライトディスプレイ装置、即ち、視聴体験を向上させるために導入された光又は照明システムの更なる改良が開示されている。これは、ディスプレイデバイス又は装置の少なくとも１辺の隣に複数の色を作り出す光源２０を備え、複数の色のそれぞれが、スクリーン１０の空間的に対応する領域５０のビデオコンテンツに適合されることにより達成される。一実施形態において、光又は照明システムは、改良された構造を持ち、反射体６０は、光源２０からの光を２つに分割可能な窓部６５を持つ。光の半分又はそれよりも大きい部分は、ディスプレイデバイスのバックグラウンド３０に向けられ、光の半分又はそれよりも少ない部分は、ベゼル拡散体、即ち、ディスプレイデバイスの前面１０に向けられる。
2010515931.tif 000002
【特許請求の範囲】
【請求項１】
ビデオ画像を表示するためのディスプレイスクリーンを有するディスプレイデバイスであって、
前記ディスプレイスクリーンの少なくとも１辺の隣に複数の色をそれぞれ作り出す複数の光源を備えた光又は照明システムを更に有し、
前記複数の光源のそれぞれは、前記ディスプレイスクリーンの空間的に対応する領域の前記ビデオ画像に適合する色を生成するように制御される、ディスプレイデバイス。
【請求項２】
前記光又は照明システムは、反射体及び拡散体を備えたベゼルを更に有し、
前記反射体は、前記複数の光源からの光を、前記光の部分、例えば半分又はそれ以上の部分が当該ディスプレイデバイスのバックグラウンドに向けられ、前記光の他の部分、例えば半分又はそれよりも少ない部分が前記ベゼルの前記拡散体に向けられ、それ故、前記ベゼルの前面を照らすように２つに分割可能な窓部を持つ、請求項１に記載のディスプレイデバイス。
【請求項３】
前記反射体の前記窓部は、前記光源の位置における途中から始まる、請求項２に記載のディスプレイデバイス。
【請求項４】
前記光源は、前記ディスプレイスクリーンと実質的に同一の方向に光を放射し、及び／又は、前記光源は、前記ディスプレイスクリーンの背後の表面を照らす、請求項１〜３のうちいずれか一項に記載のディスプレイデバイス。
【請求項５】
前記光源は、前記ディスプレイスクリーンと実質的に同一の平面エリアに設けられる、請求項１〜４のうちいずれか一項に記載のディスプレイデバイス。
【請求項６】
前記ディスプレイスクリーンの各辺に関する前記複数の光源は、当該ディスプレイデバイスの前面に向かって放射又は投射された前記複数の光源からの直接光により、不所望な影を防止するための冷却ストリップ上に一列に取り付けられる、請求項１〜５のうちいずれか一項に記載のディスプレイデバイス。
【請求項７】
個別のスポットが前面で気付かれ得ないことを確実にするために、第２の拡散体が、前記反射体及び前記拡散体により規定された光キャビティ内に取り付けられる、請求項２〜４のうちいずれか一項に記載のディスプレイデバイス。
【請求項８】
ビデオ画像を表示する方法であって、
ディスプレイスクリーン上にビデオ画像を表示するステップと、
前記ディスプレイスクリーンの少なくとも１辺の隣に複数の色をそれぞれ作り出すための複数の光源を備えた光又は照明システムを提供するステップとを有し、
前記複数の光源のそれぞれは、前記ディスプレイスクリーンの空間的に対応する領域の前記ビデオ画像に適合する色を生成するように制御される、方法。
【請求項９】
前記光又は照明システムは、反射体及び拡散体を備えたベゼルを有し、
前記反射体は、前記複数の光源からの光を、前記光の部分、例えば半分又はそれ以上の部分が前記ディスプレイデバイスのバックグラウンドに向けられ、前記光の部分、例えば半分又はそれよりも少ない部分が前記ベゼルの前記拡散体に向けられ、それ故、前記ベゼルの前面を照らし得るように２つに分割可能な窓部を持つ、請求項８に記載の方法。
【発明の詳細な説明】
【技術分野】
【０００１】
本発明は、アンビエント照明を備えたディスプレイ装置に関する。
【背景技術】
【０００２】
最近、フィリップスは、アンビライトテレビ、即ち、テレビの背後の壁を照らすための後方光源を備えたテレビ受信機ディスプレイスクリーンを導入した。ビデオ画像の色に一致させるように光の色を自動的に制御することにより、アンビライトは、視聴者に対してより夢中になれる視聴体験を提供した。初期バージョンのアンビライトテレビは、辺当たりに１つの色で左辺及び右辺の照明を供給していた。その後、上辺及び底辺の光源が取り付けられたが、依然として辺当たりに１つの色であった。
【発明の概要】
【発明が解決しようとする課題】
【０００３】
最近においてフィリップスにより導入されたアンビライトソリューションは、世界中で多大な成功を享受した。しかしながら、視聴者の要求、欲求及び需要の膨大な及び増加する多様性により、既存のアンビライトソリューションを更に発展させること、及び／又は、新たなものを作り出すことが必要である。
【０００４】
本発明は、選り好みした視聴者を更に満足させようとする。
【０００５】
本発明の目的は、ディスプレイデバイス又はテレビの視聴体験を更に向上させることにある。
【課題を解決するための手段】
【０００６】
本発明の一態様によれば、これは、ディスプレイアレンジメント又はテレビのスクリーンの少なくとも１辺の隣に複数の色を作り出す光源を備え、前記複数の色のそれぞれが、スクリーンの空間的に対応する領域でビデオコンテンツに適合されることにより達成され得る。これにより、スクリーンを取り囲む空間におけるいわば追加の"ピクセル"により、表示されたビデオ画像の拡張が実現される。好ましくは、ピクセルは、個別に目立つものではなく、メインスクリーンの周りの滑らかな低解像度画像を確実にするために互いに混合される。
【０００７】
本発明の他の態様によれば、これは、光又は照明システムのベゼル構造を改良することにより達成され得る。光又は照明システムは、反射体及び拡散体を備えたベゼルを有することができ、反射体は、光源からの光を２つに分割可能な窓部を持つ。光の部分、例えば半分又はそれ以上の部分が、ディスプレイデバイスのバックグラウンドに向けられることができ、光の他の部分、例えば半分又はそれよりも少ない部分が、ベゼル拡散体に向けられることができ、それ故、ベゼルの前面を照らす。
【０００８】
一の取り得る実施形態において、光源は、壁のような、ディスプレイ装置又はテレビのバックグラウンドを照らす。斯様な実施形態は、ピクセル化されたアンビライトと呼ばれるだろう。他の取り得る実施形態において、光源は、ディスプレイデバイス又はテレビのスクリーンと実質的に同一の平面エリアに設けられ、前方に光を発する。斯様な実施形態は、オーラテレビと呼ばれるだろう。双方の実施形態は、圧倒的な効果を得るために組み合わせられてもよい。
【０００９】
本発明の主要な特徴は、独立請求項に記載されている。
【００１０】
本発明の追加の特徴は、従属請求項に示されている。
【００１１】
一般に、本発明による"利点である"と記載することにより、及び、利点を参照することにより、この利点は、本発明により提供される可能な利点と見なされ得ると理解されなければならないが、本発明は、特に、排他的ではないが、述べられた利点を得るために有利であると理解されてもよい。
【００１２】
一般に、本発明の様々な目的、態様及び利点は、本発明の範囲内において取り得る如何なる手法において組み合わせられ及び結合されてもよい。
【００１３】
本発明のこれら及び他の目的、態様、特徴及び／又は利点は、後述された実施形態を参照して説明され、明らかにされるだろう。
【００１４】
本発明の実施形態は、図面を参照して単なる例により示されるだろう。
【図面の簡単な説明】
【００１５】
【図１】左辺及び右辺に４つのピクセル、並びに、上辺及び底辺に３つのピクセルを備えたピクセルの解像度を示している。
【図２】上辺及び底辺に幾つかの高度に重なり合う測定エリアを備えたピクセルの解像度に関する他のソリューションを示している。
【図３】左及び右のピクセル当たりに２つの光源、並びに、上及び底のピクセル当たりに４つの光源を備えたピクセルの解像度に関するさらに他のソリューションを示している。
【図４】光又は照明システムの一実施形態の断面を示している。
【図５】光又は照明システムのベゼルの他の実施形態の断面を示している。
【図６】ピクセル化されたアンビライトシステムの一例を示している。
【図７】オーラテレビシステムの一例を示している。
【発明を実施するための形態】
【００１６】
本発明は、ＬＣＤ、プラズマ若しくは任意の他のパネル、又は、投射された画像のような任意の他の画像レンダリング表面であるスクリーン１０を有するディスプレイアレンジメント又はディスプレイデバイス用の光又は照明システムに関する。光又は照明システムは、スクリーン１０の周りに、壁３０を投射する光が一度に１つずつオンにされたときに個別のスポット４０、Pix、Pix 1〜pix nを作り出すような構成で配置された複数の光源２０の形態で配置される。しかしながら、全ての光源２０が、全ての光源に対して同一の色で同時にオンされる場合には、個別のスポットは識別できないだろう。
【００１７】
光スポット又はピクセル４０、Pix、Pix 1〜pix nは、例えばＬＥＤのような１又はそれ以上の光源２０により作り出され得る。これらの光源２０は、同一の制御信号、ピクセル情報により制御されるものとする。このピクセル情報は、赤Ｒ、緑Ｇ及び青Ｂに関する３つの輝度値を含んでいるが、他のカラープライマリシステムの場合においてはこれに限定されない。
【００１８】
ピクセル情報は、投射されたピクセルに隣接するスクリーン１０の適合部分から導出される。このエリア５０（"ビデオ測定エリア"とも呼ばれる）は、通常、ビデオが解析される矩形エリアであり得るが、これに限られない。解析は、所望の効果に依存して、種々の手法で行われ得る。
【００１９】
既に述べたように、解像度は、スクリーン１０上のオブジェクトの特徴が壁３０上の映し出された画像上で認識できるほど高すぎてはいけない。
【００２０】
非常に良好な効果を伴うピクセルの解像度は、左辺及び右辺についての４つのピクセルPix、並びに、上辺及び底辺での２又は３つのピクセルPixにより達成され得る。この例は、図１に示されている。
【００２１】
このピクセル分布を持つ理由は、人間の視界が水平指向されるためである。我々は、鉛直よりも非常に広い水平方向の視野角を持っている。我々の自然な景色においては、我々は、ほとんど常に局部を伴うような鉛直方向の特徴と比較して、水平線のような水平方向の特徴により慣れている。それ故、例えばボールの水平方向の伸びは、同一オブジェクトの鉛直方向の伸びを作り出すよりもあまり妨害にならない。不自然な鉛直構造の防止は、上及び底の部分に対して、測定エリアを拡大し、ピクセルの数を削減することにより行われ得る。
【００２２】
このソリューションの一つの副作用は、上部及び底部についての動きがあまり滑らかでなく、動くオブジェクトが一のピクセルから他のピクセルに飛び跳ねることであり得る。
【００２３】
これに対するソリューションは、左辺及び右辺に対して同一のピクセルサイズを維持するが、上辺及び底辺に対して互いに高い度合いの重複を持つ大きな測定エリア５０を維持することである。これらの大きな測定エリア５０は、小さなオブジェクトは鉛直の構造を作り出さないが、大きなオブジェクトの全体的な動きが非常に滑らかになることを確実にする。この例は、図２に示されている。
【００２４】
良好なピクセル均一性を得るために、複数の光源が１つのピクセルを作り出すために用いられ得る。例えば４２インチのスクリーン１０の場合において、左及び右のピクセルPix 1´〜Pix 4´当たりに２つの光源２０（例えばＬＥＤ）、並びに、上及び底のピクセルPix 1〜Pix 3当たりに４つの光源２０（例えばＬＥＤ）を持つことが可能である。この例は、図３に示されている。ピクセル当たりに異なる数の光源を伴う他の実施形態も可能であるだろう。
【００２５】
光源２０（例えばＬＥＤ）は、隣接したピクセルの水平及び鉛直の双方に取り付けられた光源２０により角が良好に照らされるような態様で配置され得る。ディスプレイデバイスのバックグラウンド３０、例えば壁上への均一な全体的照明を得るために、特定の距離"Ｄ"（図４参照）が、光を均一に広げることを可能にするために必要であるだろう。図４に示された実施形態において、光又は照明システムは、ディスプレイ装置のバックグラウンド３０、例えば壁に向かって光を方向付けるために、ミラーを反射体６０として用いる。基本的ソリューションは、均等拡散（Lambertian）光源２０（例えばＬＥＤ）のアレイを有する。
【００２６】
スクリーン縁部又はベゼル８０の照明は、アンビライトの効果が明るい照明環境により大きく低下する店において有利であり得る。これは、スクリーンの周りに淡い色をもたらす。この場合において、自己照射面は、光が映し出されるキャンバス又は壁のような照射面よりも非常に良好な可視性を有する。その上、このソリューションは、壁の存在又は色にも依存しない。ディスプレイ装置又はディスプレイデバイスのベゼルを照らすことの第２の理由は、スクリーン１０により近いところで照明効果をもたらすことであり、これは、全体構造の一部であるベゼル８０も照らされるときに容易に達成される。
【００２７】
図５は、この取り得る実施形態の断面の概略図を示す。光源２０からの光は２つに分割される。光の部分、例えば半分又はそれよりも多い部分は、（ピクセル化されたアンビライトのように）ディスプレイデバイスのバックグラウンド３０、例えば壁に向けられ、光の他の部分、例えば半分又はそれよりも小さい部分は、（オーラテレビのように）ベゼル拡散体７０に向けられ、それ故、ベゼル８０の前面を照らす。"ピクセル"サイズ及び測定エリアに関しては、図１〜３を参照して上述したのと同一の考察結果が適用され得る。
【００２８】
壁３０及びベゼル８０上への均一な全体的照明を取得するために、特定の距離Ｄwall及びＤbezelが、光を均一に広げることを可能にするために必要であるだろう。基本的ソリューションは、均等拡散光源２０（例えばＬＥＤ）のアレイを有する。光源又はＬＥＤは、光キャビティ（light cavity）６７を作り出す、スクリーン１０の辺における反射体６０及び透明な拡散体７０により取り囲まれ得る鉛直的に配置された冷却ストリップ（cooling strip）９０上に取り付けられ得る。
【００２９】
反射体６０は、光源２０の位置における途中から始まる窓部６５を持っている。この窓部６５は、ディスプレイアレンジメントのバックグラウンド３０、例えば壁に向かって光を放射させることを可能にする。好ましくは、反射体６０は、艶消しホワイトとすべきで、残りの光を透明な拡散体７０に反射しなければならない。冷却ストリップ９０は、異なる光源２０からの光の均一な混合を確実にするための拡散体としての機能も果たす。
【００３０】
光源２０は、透明な拡散体７０上に投射された光源２０からの直接光により、不所望な影を防止するために鉛直的に取り付けられる（図面参照）。オプションとして、冷却ストリップ９０は、光源２０からの光が透明な拡散体７０に直接当たることがないように、後方に傾け得る。
【００３１】
オプションとして、ディスプレイデバイスの前面上の透明な拡散体は、視聴者が、光方向、例えば、ディスプレイ装置のバックグラウンドに向かってのみ光を放射するか、又は、ディスプレイ装置のバックグラウンドと前面とに光を照射するかを選択する可能性を有するように、非透明な拡散体に交換可能にされてもよい。他の代替手段は、任意の適切なタイプの固定手段により透明な拡散体に取り付けられ得る非透明カバーを有することである。
【００３２】
オプションとして、反射体６０の窓部６５は、視聴者が、光方向、例えば、ディスプレイ装置の前面に向かってのみ光を放射するか、又は、ディスプレイ装置のバックグラウンドと前面とに光を放射するかを選択する可能性を有するように、非透明なカバー装置により容易にカバーされるように設計又は適合され得る。
【００３３】
オプションとして、第２の拡散体７５は、個別のスポットが前面で気付かれ得ないことを確実にするために、光キャビティ６７内に取り付けられ得る。
【００３４】
図６は、ピクセル化されたアンビライトシステムの写真の例を示している。理解されるように、辺当たりの複数色、ピクセル当たりの一の色の生成は、壁上のメインスクリーンの周りに滑らかな低解像度画像を生成する。適切に構成される場合には、ピクセル化されたアンビライトは、辺当たりに一の色のみを伴う"従来の"アンビライトよりも十分に高い熱中を作り出し得る。
【００３５】
バックグラウンド照明単独又はバックグラウンド照明との組み合わせのいずれかの類似の手法においてベゼルを照らすことも可能である。これは、ベゼルエリア及び壁上に画像を拡張するスクリーンの周りのベゼル上に対して、より詳細なオーラを作り出し、それ故、更なる大きなレベルの熱中を作り出す。図７は、斯様なオーラテレビシステムの一例を示している。
【００３６】
本発明は、以下のように要約され得る。アンビライトディスプレイ装置、即ち、視聴体験を向上させるために導入された光又は照明システムの更なる改良が開示されている。これは、ディスプレイデバイス又はテレビのスクリーンの辺の隣に複数の色を作り出す光源を備え、複数の色のそれぞれが、スクリーンの空間的に対応する領域のビデオコンテンツに適合されることにより達成される。それ故、高解像度のビデオ画像は、スクリーンを取り囲む空間における追加の低解像度"ピクセル"により拡張される。一の取り得る実施形態において、光源は、壁のような、テレビの背後のバックグラウンド表面を照らす。他の取り得る実施形態において、光源は、実質的に同一の平面のエリアにおけるディスプレイスクリーンの周りに設けられ、バックグラウンド照明単独又はバックグラウンド照明との組み合わせのいずれかで光を前面に放射する。更なる他の取り得る実施形態において、光又は照明システムは、改良された構造を持つことができ、反射体は、光源からの光を２つに分割可能な窓部を持っている。光の部分、例えば半分又はそれよりも大きい部分は、壁に向けられ、光の他の部分、例えば半分又はそれよりも少ない部分は、ベゼル拡散体、即ち、ディスプレイ装置又はディスプレイデバイスの前面に向けられる。
【００３７】
本発明は、好ましい実施形態に関して説明されているが、ここで説明された特定の形式に限定されるものではない。むしろ、本発明の範囲は、特許請求の範囲によってのみ限定される。
【００３８】
このセクションにおいて、開示された実施形態の或る特別な詳細は、本発明の明確な及び完全な理解を提供するために、限定よりむしろ説明の目的のために示されている。しかしながら、本発明が、この開示の精神及び範囲から著しく逸脱することなく、ここで説明された詳細に正確に適合しない他の実施形態において実施され得ることは、当業者により容易に理解されるだろう。更に、この文脈において、簡潔さ及び明確さのために、良く知られた装置、回路及び手法の詳細な説明は、不必要な詳細及び起こり得る混同を避けるために省略されている。
【００３９】
特許請求の範囲において、"有する"という用語は、他の要素又はステップの存在を除外するものではない。加えて、別個の特徴が異なる請求項に含まれ得るが、これらは、場合によっては有利に組み合わせられても良く、異なる請求項における包含は、特徴の組み合わせが実現可能及び／又は有利ではないことを意味するものではない。加えて、単数は、複数を除外するものではない。それ故、"第１"、"第２"等の表記は、複数を排除するものではない。参照符号が特許請求の範囲に含まれるが、参照符号の包含は、明確さの理由のためだけであり、特許請求の範囲を限定するものとして考慮されるべきではない。
【図１】
2010515931.tif 000003
【図２】
2010515931.tif 000004
【図３】
2010515931.tif 000005
【図４】
2010515931.tif 000006
【図５】
2010515931.tif 000007
【図６】
2010515931.tif 000008
【図７】
2010515931.tif 000009
【国際調査報告】
2010515931.tif 000010
2010515931.tif 000011
2010515931.tif 000012